(57)【要約】【課題】  記録媒体に別の音声ストリームが記録されていることを視聴者に知らせる。【解決手段】  ディスク再生装置は、ＤＶＤからメインオーディオの音声ストリームを読出し、サブオーディオまたはエフェクトオーディオの音声ストリームが記録されている場合にはそれらをさらに読み出すシステムコントローラと、サブオーディオまたはエフェクトオーディオの音声ストリームが読み出されることに応じて（Ｓ０１またはＳ０２でＹＥＳ）、サブオーディオまたはエフェクトオーディオの音声ストリームが存在すること報知する報知手段と（Ｓ０３）、を備える。【選択図】        図３
2007213662.tif 000002
【特許請求の範囲】
【請求項１】
記録媒体から第１の音声ストリームを読出し、前記第１の音声ストリームに同期する第２の音声ストリームが記録されている場合には該第２の音声ストリームをさらに読み出す読出手段と、
前記読出手段により前記第２の音声ストリームが読み出されることに応じて、前記第２の音声ストリームが存在することを報知する報知手段と、を備えた音声出力装置。
【請求項２】
前記第１の音声ストリームと前記第２の音声ストリームとをミキシングしてミキシングデータを出力するミキシング手段と、
前記第１の音声ストリームを出力する第１出力モードと、前記ミキシングデータを出力する第２出力モードとのいずれかに切換える切換手段と、
前記報知手段は、前記第１出力モードにあるときに、前記第２の音声ストリームが存在することを報知する、請求項１に記載の音声出力装置。
【請求項３】
前記報知手段は、前記第１モードにあるときは、前記読出手段により前記第２の音声ストリームが読み出されている間、前記第２の音声ストリームが存在することを報知する、請求項２に記載の音声出力装置。
【請求項４】
前記報知手段は、前記第２の音声ストリームが存在することを表示する表示手段を含む、請求項１に記載の音声出力装置。
【請求項５】
ディスプレイに表示するための画像を生成する画像表示制御手段をさらに備え、
前記報知手段は、前記画像表示制御手段に前記ディスプレイに表示するための画像の輝度を変化させる輝度変化手段を含む、請求項１に記載の音声出力装置。
【請求項６】
前記報知手段は、ディスプレイにメッセージを表示するメッセージ表示手段を含む、請求項１に記載の音声出力装置。
【発明の詳細な説明】
【技術分野】
【０００１】
この発明は音声再生装置に関し、特にＨＤ  ＤＶＤ（Ｈｉｇｈ  Ｄｅｆｉｎｉｔｉｏｎ−Ｄｉｇｉｔａｌ  Ｖｅｒｓａｔｉｌｅ  Ｄｉｓｃ）ビデオ規格で記録された音声を再生する音声再生装置に関する。
【背景技術】
【０００２】
現在、市場に流通しているＤＶＤ再生装置は、８つの音声ストリームのうちから選択された１つの音声ストリームが出力される。このため、音声回路は、１つの音声ストリームをビットストリームのまま出力する、または、デコードしたＬＰＣＭ（Ｌｉｎｅａｒ  Ｐｕｌｓｅ  Ｃｏｄｅ  Ｍｏｄｕｌａｔｉｏｎ）を出力するためのデジタル出力端子と、アナログに変換したアナログ信号を出力するためのアナログ出力端子とを備えている。
【０００３】
一方、ＨＤ  ＤＶＤ規格が定められ、ＨＤ  ＤＶＤ規格で記録された映像および音声を再生する再生装置の開発が進められている。ＨＤ  ＤＶＤ規格では、メインオーディオ、サブオーディオおよびエフェクトオーディオの３つの音声オブジェクトがＤＶＤに記録される。メインオーディオの音声オブジェクトは、８つの音声ストリームを含むことが可能であり、サブオーディオおよびエフェクトオーディオの音声オブジェクトは、それぞれ１つの音声ストリームを含む。メインオーディオの音声オブジェクトが含む最大で８つの音声ストリームそれぞれは、サブオーディオおよびエフェクトオーディオの音声オブジェクトそれぞれが含む音声ストリームと互いに同期する。ＨＤ  ＤＶＤ規格でＤＶＤに記録された３つの音声オブジェクトを出力する際には、メインオーディオの音声オブジェクトに含まれる最大で８つの音声ストリームのうちから選択された１つの音声ストリームと、サブオーディオおよびエフェクトオーディオの音声オブジェクトそれぞれが含む音声ストリームとが出力される。このためＤＶＤ再生装置に、３つの音声ストリームを出力するために、３つのデジタル出力端子および３つのアナログ出力端子を備えることが考えられるが、製造コストの面から現実的でない。
【０００４】
そこで、単一のデジタル出力端子またはアナログ出力端子から３つの音声ストリームのうちから選択されたものを出力させるモードと、３つの音声ストリームをミキシングして出力させるモードとを設けて、いずれかのモードを選択することが考えられる。
【０００５】
しかしながら、３つの音声ストリームのうちから選択されたものを出力させるモードでは、選択されなかった音声ストリームは出力されないので、ユーザはそれらが存在することすらわからなくなってしまうといった問題がある。
【特許文献１】特開２００５−０８６４８６号公報
【発明の開示】
【発明が解決しようとする課題】
【０００６】
この発明は上述した問題点を解決するためになされたもので、この発明の目的の１つは、記録媒体に別の音声ストリームが記録されていることを視聴者に知らせることが可能な音声出力装置を提供することである。
【課題を解決するための手段】
【０００７】
上述した目的を達成するためにこの発明のある局面によれば、音声出力装置は、記録媒体から第１の音声ストリームを読出し、第１の音声ストリームに同期する第２の音声ストリームが記録されている場合には該第２の音声ストリームをさらに読み出す読出手段と、読出手段により第２の音声ストリームが読み出されることに応じて、第２の音声ストリームが存在することを報知する報知手段と、を備える。
【０００８】
この局面に従えば、記録媒体から第２の音声ストリームが読み出されると、第２の音声ストリームが存在することが報知される。このため、記録媒体に別の音声ストリームが記録されていることを視聴者に知らせることが可能な音声出力装置を提供することができる。
【０００９】
好ましくは、第１の音声ストリームと第２の音声ストリームとをミキシングしてミキシングデータを出力するミキシング手段と、第１の音声ストリームを出力する第１出力モードと、ミキシングデータを出力する第２出力モードとのいずれかに切換える切換手段と、報知手段は、第１出力モードにあるときに、第２の音声ストリームが存在することを報知する。
【００１０】
この局面に従えば、第１の音声ストリームを出力する第１出力モードにあるときに第２の音声ストリームが存在することが報知されるので、第１の音声ストリームと第２の音声ストリームとをミキシングしたミキシングデータを出力する第２出力モードに切換えることにより、第２の音声ストリームを第１の音声ストリームとともに出力させることができる。
【００１１】
好ましくは、報知手段は、第１モードにあるときは、読出手段により第２の音声ストリームが読み出されている間、第２の音声ストリームが存在することを報知する。
【００１２】
好ましくは、報知手段は、第２の音声ストリームが存在することを表示する表示手段を含む。
【００１３】
好ましくは、ディスプレイに表示するための画像を生成する画像表示制御手段をさらに備え、報知手段は、画像表示制御手段にディスプレイに表示するための画像の輝度を変化させる輝度変化手段を含む。
【００１４】
好ましくは、報知手段は、ディスプレイにメッセージを表示するメッセージ表示手段を含む。
【発明を実施するための最良の形態】
【００１５】
以下、図面を参照しつつ、本発明の実施の形態について説明する。以下の説明では、同一の部品には同一の符号を付してある。それらの名称および機能も同じである。したがってそれらについての詳細な説明は繰返さない。
【００１６】
図１は、本発明の実施の形態の１つにおけるディスク再生装置の全体構成を示す図である。図１を参照して、ディスク再生装置１００は、画像および音声を圧縮符号化した画像データおよび音声データを記録したＤＶＤ２０が装着され、そのＤＶＤ２０から画像データおよび音声データを読み出して画像および音声を再生する。
【００１７】
ディスク再生装置１００は、ディスク再生装置１００の全体を制御するシステムコントローラ１０と、それぞれがシステムコントローラ１０に接続されたＬＡＮ（Ｌｏｃａｌ  Ａｒｅａ  Ｎｅｔｗｏｒｋ）インターフェース１５、操作部１２、表示部１３、読み出し用バッファ２６、再生バッファメモリ３８、デマルチプレクサ３１、オンスクリーンディスプレイ（ＯＳＤ）回路３７とを含む。
【００１８】
ＤＶＤ２０は、スピンドルモータ２２によって回転される。サーボ回路２３は、スピンドルモータ２２の回転数、ピックアップ２１のフォーカスサーボおよびトラッキングサーボを制御する。ＤＶＤ２０に記録されたタイトルを再生する場合、ＤＶＤ２０に記録されたデータは、ピックアップ２１により読み取られる。ピックアップ２１は、ＤＶＤ２０で反射した光を受光し、受光した光を光電変換素子により電気信号に変換して、復調部２４に出力する。復調部２４に入力される電気信号は、ＤＶＤ２０への記録に適した信号に変調された信号であるため、復調部２４はこれを復調して元の形に戻す。誤り訂正部２５は、リードソロモン積符号（ＲＳ−ＰＣ）の訂正方式でエラー訂正し、エラー訂正したデータを読み出し用バッファ２６に記憶する。
【００１９】
システムコントローラ１０は、ナビゲーション情報解析部１１を含む。ナビゲーション情報解析部１１は、読み出し用バッファ２６からデータを読み出し、ナビゲーション情報を解析する。また、システムコントローラ１０は、読み出し用バッファ２６から読み出したビデオＰＥＳ（Ｐａｃｋｅｔｉｚｅｄ  Ｅｌｅｍｅｎｔａｒｙ  Ｓｔｒｅａｍ）とオーディオＰＥＳとを再生バッファメモリ３８に記憶する。
【００２０】
再生バッファメモリ３８に記憶されたビデオＰＥＳとオーディオＰＥＳとは、デマルチプレクサ３１で読み取られ、デマルチプレクサ３１は、ビデオＰＥＳをＭＰＥＧビデオデコーダ３２に出力し、オーディオＰＥＳをオーディオ回路４１に出力する。オーディオＰＥＳは、メインオーディオの音声ストリームと、サブオーディオの音声ストリームと、エフェクトオーディオの音声ストリームとの３種類を含む。オーディオ回路４１は、システムコントローラ１０により制御され、３種類の音声ストリームを処理して、デジタル出力端子ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）４２、Ｓ／ＰＤＩＦ（Ｓｏｎｙ／Ｐｈｉｌｉｐｓ  Ｄｉｇｉｔａｌ  Ｉｎｔｅｒｆａｃｅ）４３およびアナログ出力端子４４から音声データを出力する。オーディオ回路４１の詳細は後述する。
【００２１】
ＭＰＥＧビデオデコーダ３２は、入力されたビデオＰＥＳをＭＰＥＧ方式で復号し、復号したビデオデータをビデオエンコーダ３３に出力する。ビデオエンコーダ３３は、ビデオデータをエンコードし、加算器３５に出力する。ビデオエンコーダ３３は、システムコントローラ１０により制御され、映像の輝度を変化させる。
【００２２】
ＯＳＤ回路３７は、システムコントローラ１０から出力指示された文字情報に基づくビットマップデータを加算器３５に出力する。ＯＳＤ回路３７により、後述するサブオーディオおよびエフェクトオーディオが存在することを示すメッセージを表示するメッセージ画面が加算器３５に出力される。加算器３５は、ビデオエンコーダ３３から入力されるビデオ信号の画像に、ＯＳＤ回路３７から入力されるメッセージ画面を重畳して、ビデオ出力端子３６に出力する。ビデオ出力端子３６は、たとえば、テレビジョン受像機と接続され、ビデオ信号の映像、または、ＯＳＤ回路３７からメッセージ画面が出力される場合にはビデオ信号の映像にメッセージ画面を重畳した映像を、テレビジョン受像機に出力する。
【００２３】
ＬＡＮインターフェース１５は、ディスク再生装置１００をインターネット１６に接続するための通信用のインターフェースである。ここでは、ＬＡＮインターフェース１５は、インターネット１６に接続されており、システムコントローラ１０は、そのインターネットに接続されたコンピュータ１７と通信可能となっている。コンピュータ１７は、ＭＰＥＧ規格で圧縮符号化されたデータを蓄積しており、ディスク再生装置１００からの要求により、蓄積したデータを送信する。このため、ディスク再生装置１００は、コンピュータ１７からデータを受信して、上述したＤＶＤ２０から読み出したデータと同様にして、映像および音声を再生する。
【００２４】
操作部１２は、ディスク再生装置１００の前面に備えられた複数のボタンスイッチを有する。操作部１２では、ディスク再生装置１００を操作するユーザの指示の入力が受付けられる。また、操作部１２は、リモートコントローラ（リモコン）１４と赤外線による無線通信が可能となっている。リモコン１４は、操作部１２と同様の指示を入力するためのボタンスイッチを有する。このため、ユーザは、操作部１２に入力するのと同様の指示を、リモコン１４を用いて入力することができる。
【００２５】
表示部１３は、蛍光表示管であり、ディスク再生装置１００の動作状態の表示、操作部１２に入力されたユーザの指示の表示等を行う。なお、蛍光表示管に代えて、または、それとともに液晶表示装置、有機エレクトロルミネッセンスディスプレイまたはＬＥＤ（Ｌｉｇｈｔ  Ｅｍｉｔｔｉｎｇ  Ｄｉｏｄｅ）パネル等を用いてもよい。
【００２６】
図２は、オーディオ回路の詳細な構成を示すブロック図である。図２を参照して、オーディオ回路４１には、メインオーディオの音声ストリームと、サブオーディオの音声ストリームと、エフェクトオーディオの音声ストリームとが入力される。オーディオ回路４１は、メインオーディオの音声ストリームをデコードするためのメインオーディオデコーダ５１と、サブオーディオの音声ストリームをデコードするためのサブオーディオデコーダ５２と、エフェクトオーディオの音声ストリームをデコードするためのエフェクトオーディオデコーダ５３と、オーディオミキシングエンジン５４と、第１切換器５５と、第２切換器５６と、デジタルアナログ変換部（ＤＡＣ）５７とを含む。
【００２７】
サブオーディオデコーダ５２は、サブオーディオの音声ストリームが入力されている間、サブオーディオの音声ストリームが存在することを示す信号を、システムコントローラ１０に出力する。また、エフェクトオーディオデコーダ５３は、エフェクトオーディオの音声ストリームが入力されている間、エフェクトオーディオの音声ストリームが存在することを示す信号を、システムコントローラ１０に出力する。
【００２８】
システムコントローラ１０は、サブオーディオの音声ストリームまたはエフェクトオーディオの音声ストリームの少なくとも一方が入力される間、サブオーディオの音声ストリームまたはエフェクトオーディオの音声ストリームのいずれかが存在することをユーザに報知する。システムコントローラ１０は、サブオーディオデコーダ５２からサブオーディオの音声ストリームが存在することを示す信号が入力される間、サブオーディオの音声ストリームが入力されていることを検出する。また、システムコントローラ１０は、エフェクトオーディオデコーダ５３からエフェクトオーディオの音声ストリームが存在することを示す信号が入力される間、エフェクトオーディオが入力されていることを検出する。
【００２９】
システムコントローラ１０による報知には、次の３つの方法がある。これらの３つの方法いずれか単独で報知するようにしてもよいし、２つ以上を組み合わせて報知するようにしてもよい。
（１）システムコントローラ１０は、ＯＳＤ回路３７にメッセージを表示させる。メッセージは、例えば「サブオーディオがあります。」、「エフェクトオーディオがあります。」または「サブオーディオとエフェクトオーディオがあります。」である。
（２）システムコントローラ１０は、表示部１３に備えられた報知用のＬＥＤを点灯させる。
（３）システムコントローラ１０は、ビデオエンコーダ３３を制御して、映像の輝度を変化させる。
【００３０】
オーディオミキシングエンジン５４は、メインオーディオデコーダ５１からデコードされたメインオーディオが入力され、サブオーディオデコーダ５２からデコードされたサブオーディオが入力され、エフェクトオーディオデコーダ５３からデコードされたエフェクトオーディオが入力される。オーディオミキシングエンジン５４は、システムコントローラ１０により制御され、メインオーディオ、サブオーディオおよびエフェクトオーディオをミキシングして、ＬＰＣＭの音声信号を第２切換器５６の入力端子ａおよびＤＡＣ５７に出力する。
【００３１】
第１切換器５５は、入力端子ａにメインオーディオの音声ストリーム（ビットストリーム）が入力され、入力端子ｂにサブオーディオの音声ストリームが入力される。第１切換器５５は、システムコントローラ１０により制御され、入力端子ａに入力されるメインオーディオの音声ストリーム、または入力端子ｂに入力されるサブオーディオの音声ストリームのいずれかを、第２切換器５６の入力端子ｂに出力する。
【００３２】
第２切換器５６は、入力端子ａにメインオーディオ、サブオーディオおよびエフェクトオーディオをミキシングしたＬＰＣＭの音声信号が入力され、入力端子ｂに第１切換器５５の出力、すなわちメインオーディオまたはサブオーディオの音声ストリームのいずれかが入力される。第２切換器５６は、システムコントローラ１０により制御され、入力端子ａに入力されるメインオーディオ、サブオーディオおよびエフェクトオーディオをミキシングしたＬＰＣＭの音声信号と、入力端子ｂに入力されるメインオーディオまたはサブオーディオの音声ストリームとのいずれかを、デジタル出力端子ＨＤＭＩ４２，Ｓ／ＰＤＩＦ４３に出力する。
【００３３】
システムコントローラ１０は、ユーザが操作部１２に入力した音声出力設定に従って、第１切換器５５および第２切換器５６を切換える。操作部１２への音声出力設定の入力は、リモコン１４への入力を含む。システムコントローラ１０は、音声出力設定が、メインオーディオ出力に設定されている場合、第１切換器５５を入力端子ａ側に切換え、第２切換器５６を入力端子ｂ側に切換える。システムコントローラ１０は、音声出力設定が、サブオーディオ出力に設定されている場合、第１切換器５５を入力端子ｂ側に切換え、第２切換器５６を入力端子ｂ側に切換える。システムコントローラ１０は、音声出力設定が、メインオーディオ出力、およびサブオーディオ出力のいずれにも設定されていなければ、第２切換器５６を入力端子ａ側に切換える。ここでは、メインオーディオ出力、またはサブオーディオ出力の音声出力設定を、第１のモードといい、メインオーディオ出力、およびサブオーディオ出力のいずれでもない音声出力設定を第２のモードという。
【００３４】
ＤＡＣ５７は、オーディオミキシングエンジン５４から入力されるメインオーディオ、サブオーディオおよびエフェクトオーディオをミキシングしたＬＰＣＭの音声信号をアナログに変換して、アナログ出力端子４４に出力する。
【００３５】
図３は、検出表示処理の流れの一例を示すフローチャートである。検出表示処理は、システムコントローラ１０により実行される処理である。図３を参照して、システムコントローラ１０は、サブオーディオの音声ストリームが入力されているか否かを判断する（ステップＳ０１）。システムコントローラ１０は、サブオーディオデコーダ５２からサブオーディオの音声ストリームが存在することを示す信号が入力されていれば、処理をステップＳ０３に進め、そうでなければ処理をステップＳ０２に進める。ステップＳ０２では、エフェクトオーディオの音声ストリームが入力されているか否かを判断する。システムコントローラ１０は、エフェクトオーディオデコーダ５３からエフェクトオーディオの音声ストリームが存在することを示す信号が入力されていれば、処理をステップＳ０３に進め、そうでなければ処理をステップＳ０４に進める。
【００３６】
システムコントローラ１０は、ステップＳ０３では、サブオーディオの音声ストリームまたはエフェクトオーディオの音声ストリームのいずれかが存在することをユーザに報知する。報知は、（１）ＯＳＤ回路３７によるメッセージを表示、（２）表示部１３に備えられた報知用のＬＥＤを点灯、（３）ビデオエンコーダ３３による輝度の変化のいずれか、または、これらの２つ以上の組合せである。そして、再生が終了したか否かを判断し（ステップＳ０５）、再生が終了していなければ処理をステップＳ０１に戻し、再生が終了したならば処理を終了する。
【００３７】
一方、ステップＳ０４では、ユーザへの報知を終了する。これにより、サブオーディオの音声ストリームまたはエフェクトオーディオの音声ストリームのいずれかが存在する間、それらのいずれかが存在することがユーザに報知される。
【００３８】
メインオーディオを出力する設定がされている場合には、サブオーディオまたはエフェクトオーディオの音声ストリームが存在しても、ユーザは、それらを視聴することができない。システムコントローラ１０により検出表示処理が実行されると、サブオーディオまたはエフェクトオーディオの音声ストリームのいずれかが存在することがユーザに報知されるので、ユーザは、その存在を知ることができる。
【００３９】
図４は、音声出力制御処理の流れの一例を示すフローチャートである。音声出力制御処理は、システムコントローラ１０により実行される処理である。図４を参照して、システムコントローラ１０は、ユーザによる音声出力設定が、メインオーディオ出力に設定されているか否かを判断する（ステップＳ１１）。メインオーディオ出力に設定されていれば処理をステップＳ１２に進め、そうでなければ処理をステップＳ２１に進める。  ステップＳ１２では、メインオーディオを出力するために、第１切換器５５および第２切換器５６を切換える。具体的には、第１切換器５５を入力端子ａ側に切換え、第２切換器５６を入力端子ｂ側に切換える。これにより、メインオーディオの音声ストリームが、デジタル出力端子ＨＤＭＩ４２，Ｓ／ＰＤＩＦ４３から出力される。
【００４０】
次に、ミキシングをオンにする指示がユーザにより入力されたか否かが判断される（ステップＳ１３）。ミキシングをオンにする指示は、ユーザが操作部１２に備えられたミキシングボタンを指示することにより、システムコントローラ１０に入力される。リモコン１４は、ミキシングボタンを備え、ユーザがリモコン１４のミキシングボタンを指示することによっても、ミキシングをオンにする指示がシステムコントローラ１０に入力される。ミキシングをオンにする指示が入力されたならば処理をステップＳ１４に進め、指示がなければ処理をステップＳ１８に進める。
【００４１】
ステップＳ１４では、ミキシングをオンにする指示があったときより前の音声ストリームを読み出す。上述したように、音声出力設定がメインオーディオの出力に設定されている場合、ユーザは、サブオーディオとエフェクトオーディオの存在が報知されることにより、それらの存在を認識する。したがって、ユーザがサブオーディオとエフェクトオーディオの存在に気付き、ミキシングをオンにする指示を入力した時点では、既にサブオーディオとエフェクトオーディオは、ある程度の再生時間が経過してしまっている。このため、サブオーディオおよびエフェクトオーディオを最初から再生するために、ミキシングをオンする指示があったときより前の音声ストリームを読み出す。なお、音声ストリームとビデオＰＥＳとは同期するため、ミキシングをオンする指示があったときより前の音声ストリームを読み出す際には、読み出す音声ストリームに同期するビデオＰＥＳを読み出す。これにより、音声と映像とが同期して出力される。
【００４２】
システムコントローラ１０は、読み出し用バッファ２６に記憶されているデータのうち、ミキシングをオンにする指示があった時より前のメインオーディオストリーム、サブオーディオストリームおよびエフェクトオーディオストリームを読み出す。また、読み出し用バッファに該当するデータが記憶されていない場合には、サーボ回路２３を制御して、該当するデータをピックアップ２１に読み出させる。ミキシングをオンにする指示があった時点より前のデータは、次の方法のいずれかでそのデータの位置が決定される。
（１）ミキシングをオンにする指示があった時点より予め定めた時間だけ前のデータの位置。
（２）サブオーディオまたはエフェクトオーディオのいずれか一方が存在することになった位置。システムコントローラ１０は、サブオーディオまたはエフェクトオーディオが存在することになった位置を、サブオーディオデコーダ５２およびエフェクトオーディオデコーダ５３から入力される信号に基づいて記憶しており、その記憶しておいた位置のメインオーディオ、サブオーディオおよびエフェクトオーディオを読み出す。位置は、再生時間であってもよいし、ＤＶＤに記録されている位置であってもよい。
（３）ステップＳ１３で指示があった時点のメインオーディオストリームが属するチャプタの先頭の位置。
【００４３】
ステップＳ１５では、ミキシングしたＬＰＣＭを出力するために、第２切換器５６を入力端子ａ側に切換える。これにより、メインオーディオ、サブオーディオおよびエフェクトオーディオをミキシングしたＬＰＣＭがデジタル出力端子ＨＤＭＩ４２，Ｓ／ＰＤＩＦ４３から出力される。
【００４４】
ステップＳ１６では、ミキシングをオフにする指示が入力されたか否かが判断される。ミキシングをオフにする指示が入力されたならば処理をステップＳ１７に進め、そうでなければミキシングしたＬＰＣＭの出力を継続する。ミキシングをオフにする指示は、ユーザが操作部１２に備えられたミキシングボタンを指示することにより、システムコントローラ１０に入力される。なお、ユーザによるミキシングをオフにする指示の入力に代えて、システムコントローラ１０がサブオーディオの音声ストリームまたはエフェクトオーディオの音声ストリームのいずれもが存在しなくなったことを検出するようにしてもよい。さらに、システムコントローラ１０が、ミキシングをオンにする指示がされた位置の音声ストリームが入力されたことを検出するようにしてもよい。
【００４５】
ステップＳ１７では、メインオーディオを出力するために、第１切換器５５を入力端子ａ側に切換え、第２切換器５６を入力端子ｂ側に切換える。これにより、メインオーディオの音声ストリームが、デジタル出力端子ＨＤＭＩ４２，Ｓ／ＰＤＩＦ４３から出力される。そして、ステップＳ１８では、再生が終了したか否かを判断し、再生が終了していなければ処理をステップＳ１３に戻し、再生が終了したならば処理を終了する。
【００４６】
一方、ステップＳ２１では、システムコントローラ１０は、ユーザによる音声出力設定が、サブオーディオ出力に設定されているか否かを判断する。サブオーディオ出力に設定されていれば処理をステップＳ２２に進め、そうでなければ処理をステップＳ３１に進める。ステップＳ２２では、サブオーディオを出力するために、第１切換器５５および第２切換器５６を切換える。具体的には、第１切換器５５を入力端子ｂ側に切換え、第２切換器５６を入力端子ｂ側に切換える。これにより、サブオーディオの音声ストリームが、デジタル出力端子ＨＤＭＩ４２，Ｓ／ＰＤＩＦ４３から出力される。
【００４７】
ステップＳ２３〜ステップＳ２６の処理は、ステップＳ１３〜ステップＳ１６の処理とそれぞれ同じなのでここでは説明を繰り返さない。
【００４８】
ステップＳ２７では、サブオーディオを出力するために、第１切換器５５を入力端子ｂ側に切換え、第２切換器５６を入力端子ｂ側に切換える。これにより、サブオーディオの音声ストリームが、デジタル出力端子ＨＤＭＩ４２，Ｓ／ＰＤＩＦ４３から出力される。そして、ステップＳ２８では、再生が終了したか否かを判断し、再生が終了していなければ処理をステップＳ２３に戻し、再生が終了したならば処理を終了する。
【００４９】
ステップＳ３１では、ミキシングしたＬＰＣＭを出力するために、第２切換器５６を入力端子ａ側に切換える。これにより、メインオーディオ、サブオーディオおよびエフェクトオーディオをミキシングしたＬＰＣＭがデジタル出力端子ＨＤＭＩ４２，Ｓ／ＰＤＩＦ４３から出力される。そして、ステップＳ３２では、再生が終了したか否かを判断し、再生が終了していなければ、ミキシングしたＬＰＣＭの出力を継続し、再生が終了したならば処理を終了する。
【００５０】
以上説明したように本実施の形態におけるディスク再生装置１００は、メインオーディオの音声ストリームを出力している状態で（ステップＳ１２）、ミキシングをオンにする指示が入力されると（ステップＳ１３）、ミキシングをオンにする指示があった時点より前のメインオーディオ、サブオーディオおよびエフェクトオーディオの音声ストリームが読み出されて（ステップＳ１４）、それらをミキシングしたＬＰＣＭが出力される（ステップＳ１５）。このため、サブオーディオおよびエフェクトオーディオを途中からではなく最初から出力することができる。また、ミキシングをオンにするために、リモコン１４が備えるミキシングボタンを指示するといった簡単な操作で、メインオーディオの出力から、メインオーディオ、サブオーディオおよびエフェクトオーディオをミキシングしたＬＰＣＭの出力に切換えることができる。
【００５１】
＜変形例＞
図５は、変形例における音声出力制御処理の流れの一例を示すフローチャートである。図５を参照して、システムコントローラ１０は、メインオーディオを出力するために、第１切換器５５を入力端子ａ側に切換え、第２切換器５６を入力端子ｂ側に切換える（ステップＳ４１）。これにより、メインオーディオの音声ストリームが、デジタル出力端子ＨＤＭＩ４２，Ｓ／ＰＤＩＦ４３から出力される。
【００５２】
そして、サブオーディオの音声ストリームが入力されているか否かを判断する（ステップＳ４２）。システムコントローラ１０は、サブオーディオデコーダ５２からサブオーディオの音声ストリームが存在することを示す信号が入力されていれば、処理をステップＳ４４に進め、そうでなければ処理をステップＳ４３に進める。ステップＳ４３では、エフェクトオーディオの音声ストリームが入力されているか否かを判断する。システムコントローラ１０は、エフェクトオーディオデコーダ５３からエフェクトオーディオの音声ストリームが存在することを示す信号が入力されていれば、処理をステップＳ４４に進め、そうでなければ処理をステップＳ４１に戻す。
【００５３】
ステップＳ４４では、ミキシングしたＬＰＣＭを出力するために、第２切換器５６を入力端子ａ側に切換える。これにより、メインオーディオ、サブオーディオおよびエフェクトオーディオをミキシングしたＬＰＣＭがデジタル出力端子ＨＤＭＩ４２，Ｓ／ＰＤＩＦ４３から出力される。
【００５４】
ステップＳ４５では、再生が終了したか否かを判断し、再生が終了していなければ処理をステップＳ４２に戻し、再生が終了したならば処理を終了する。
【００５５】
変形例におけるディスク再生装置１００は、ＤＶＤ２０からメインオーディオの音声ストリームが読み出されている場合にはメインオーディオの音声ストリームを出力し（ステップＳ４１）、ＤＶＤ２０からサブオーディオまたはエフェクトオーディオの音声ストリームが読み出されている場合には（ステップＳ４２でＹＥＳ、または、ステップＳ４３でＹＥＳ）、メインオーディオ、サブオーディオおよびエフェクトオーディオをミキシングしたＬＰＣＭを出力する（ステップＳ４４）。このため、デジタル端子ＨＤＭＩ４２，Ｓ／ＰＤＩＦ４３からできるだけメインオーディオの音声ストリームを出力しつつ、メインオーディオ、サブオーディオおよびエフェクトオーディオの全てを出力することができる。
【００５６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００５７】
【図１】本発明の実施の形態の１つにおけるディスク再生装置の全体構成を示す図である。
【図２】オーディオ回路の詳細な構成を示すブロック図である。
【図３】検出表示処理の流れの一例を示すフローチャートである。
【図４】音声出力制御処理の流れの一例を示すフローチャートである。
【図５】音声出力制御処理の別の流れの一例を示すフローチャートである。
【符号の説明】
【００５８】
１０  システムコントローラ、１１  ナビゲーション情報解析部、１２  操作部、１３  表示部、１４  リモコン、１５  ＬＡＮインターフェース、１６  インターネット、１７  コンピュータ、２０  ＤＶＤ、２１  ピックアップ、２２  スピンドルモータ、２３  サーボ回路、２４  復調部、２５  誤り訂正部、２６  読み出し用バッファ、３１  デマルチプレクサ、３２  ＭＰＥＧビデオデコーダ、３３  ビデオエンコーダ、３５  加算器、３６  ビデオ出力端子、３７  ＯＳＤ回路、３８  再生バッファメモリ、４１  オーディオ回路、４２  ＨＤＭＩ、４３  Ｓ／ＰＤＩＦ、４４  アナログ出力端子、５１  メインオーディオデコーダ、５２  サブオーディオデコーダ、５３  エフェクトオーディオデコーダ、５４  オーディオミキシングエンジン、５５  第１切換器、５６  第２切換器、１００  ディスク再生装置。
【図１】
2007213662.tif 000003
【図２】
2007213662.tif 000004
【図３】
2007213662.tif 000005
【図４】
2007213662.tif 000006
【図５】
2007213662.tif 000007